(57)【要約】      （修正有）【課題】狭隘の場所にあるバッテリ内にバッテリ液を円滑に、容易に、確実に注入でき、簡便構造で軽量に形成され、不使用時の液漏れのないバッテリ液充電器を提供する。【解決手段】バッテリの蓋をとり外し、ここにバッテリ液補充器１００の外筒１を装着し、バッテリ液１４を補充しながらフロート軸３のマーク８と外筒１の表示マーク７との位置関係を外から観察することにより、正しいレベル位置にバッテリ液１４を補充できる。【選択図】図１
0003168314.tif 000002
【実用新案登録請求の範囲】
【請求項１】
バッテリ本体ケースのバッテリ液注入口に装着されてバッテリ液を補充する構造のバッテリ液補充器であって、該補充器は、前記バッテリ液注入口に着脱可能に挿着されバッテリ液通過口を有する下蓋体と、これに嵌着されて立設する外筒体と、この上端を閉止する上蓋体とからなる外筒と、該外筒内に前記上蓋体と下蓋体との間に介設される内筒と、該内筒内部の中心位置に垂下されるガイド軸と、該ガイド軸に案内され前記下蓋体を貫通して垂下されるフロート軸と、該フロート軸の先端に固着されるフロートとを有するものからなり、前記外筒にはその外筒体の外周のほぼ中央部に開口される補充液注入口が形成され、前記内筒体にはバッテリ液の上面位置を表示する表示マークが形成され、前記フロート軸の上端には前記表示マークとフロート軸との関係位置を目視するためマークが一体的に設けられることを特徴とするバッテリ液補充器。
【請求項２】
前記外筒には、フロート軸の下端側及びフロートを覆うキャップが着脱可能に装着されることを特徴とする請求項１に記載のバッテリ液補充器。
【考案の詳細な説明】
【技術分野】
【０００１】
本考案は、自動車等に使用されているバッテリのバッテリ液を確実に楽に補充できる軽量簡便構造で取扱性のよいバッテリ液補充器に関する。
【背景技術】
【０００２】
バッテリ液は正常レベルに保持しないと液不足等により性能が低下する恐れがあり、極端の場合は破裂事故を発生する大きな問題がある。また、過剰の液注入により液漏れが生ずるトラブルも発生する。バッテリ液は希硫酸るであり、取り扱い十分注意する必要があるが、前記のように補充の過不足によって色々なトラブルが発生する。一方、自動車等におけるバッテリの設置場所は一般的に狭い場所であり、バッテリ液補充ポット等による補充がやりにくい問題点が現在でも生じている。
そのため、バッテリ液を円滑に容易に注入でき、その注入量の適性化が容易に確認できる補充手段が必要であるが、今現在この目的に適用する公知技術は少なく、本願出願人の調査によると「特許文献１」が存在するのみのようである。
【先行技術文献】
【特許文献】
【０００３】
【特許文献１】特開平６−３０２３３９号（図１）
【考案の概要】
【考案が解決しようとする課題】
【０００４】
前記の「特許文献１」の「特開平６−３０２３３９号」の「バッテリ液量測定器」はバッテリ液が正常に補充されているか否かをほぼ正確にチェックするための測定器であり、後に説明する本願と似ている点もあるが、次のような問題点がある。
即ち、このバッテリ液測定器におけるバッテリ液の補充は筒体（７）の上部から行うものであり、狭隘の場所にあるバッテリに対する補充としては円滑化や安定供給と言う点において問題がある。また、浮子（８ａ）の指示棒（８）に注入中のバッテリ液が注入されないように指示棒（８）は無垢のものからなり、最上部に浮子（８ａ）に似たボール体等を設けると共に指示棒（８）を前記のように無垢の棒体としなければならず、フロートとしての軽量化に反する問題点がある。また、筒体（７）をバッテリ内に正しく垂下指示するための手段として各種の部材が用いられ、構造が複雑である問題点もある。
一方、バッテリ補充器としては取扱性がよく、軽量であり、バッテリ液の注入が円滑に、かつ安定的に確実に行われることが必要であるが、前記の「特許文献１」の手段はこの問題点をクリアするものではない。
【０００５】
本考案は、以上の問題点を解決すべく考案されたものであり、バッテリ液の注入が容易に、かつ確実にでき、全体として軽量であり、取扱性もよく、バッテリ液の注入レベルへの確認の確実化ができ、また、不使用時における安全保管ができるバッテリ液補充器を提供することを目的とする。
【課題を解決するための手段】
【０００６】
本考案は、以上の目的を達成するために、請求項１の考案は、バッテリ本体ケースのバッテリ液注入口に装着されてバッテリ液を補充する構造のバッテリ液補充器であって、該補充器は、前記バッテリ液注入口に着脱可能に挿着されバッテリ液通過口を有する下蓋体と、これに嵌着されて立設する外筒体と、この上端を閉止する上蓋体とからなる外筒と、該外筒内に前記上蓋体と下蓋体との間に介設される内筒と、該内筒内部の中心位置に垂下されるガイド軸と、該ガイド軸に案内され前記下蓋体を貫通して垂下されるフロート軸と、該フロート軸の先端に固着されるフロートとを有するものからなり、前記外筒にはその外筒体の外周のほぼ中央部に開口される補充液注入口が形成され、前記内筒体にはバッテリ液の上面位置を表示する表示マークが形成され、前記フロート軸の上端には前記表示マークとフロート軸との関係位置を目視するためマークが一体的に設けられることを特徴とする。
【０００７】
また、請求項２の考案は、前記外筒には、フロート軸の下端側及びフロートを覆うキャップが着脱可能に装着されることを特徴とする。
【考案の効果】
【０００８】
本考案の請求項１のバッテリ液補充器によれば、外筒はバッテリ液注入口に円滑に装着されて安定支持される。また、外筒にはバッテリ液注入ポット内のバッテリ液が外筒内に注入され易いようにその外周の中央部にバッテリ液注入口が形成されている。この外筒内に注入されたバッテリ液は中空内筒により閉止されているフロート軸には注入されず下蓋体のバッテリ液通過口のみからバッテリ内に注入される。また、フロート軸はガイド軸により安定的に垂下支持される。バッテリ液の補充位置の確認は中空内筒に表示されている表示マークとフロート軸の上端のマークとの合致により容易に確認される。以上により、バッテリ液は安定的に、かつ確実に容易に注入され、その注入量の確認も目視により容易に行われる。
【０００９】
また、本考案の請求項２のバッテリ液補充器によれば、バッテリ補充器にはキャップが着脱可能に設けられているため、使用時におけるバッテリ液の漏洩等が防止される効果が上げられる。バッテリ液は希硫酸のため、この漏洩防止処置は重要な手段である。
【図面の簡単な説明】
【００１０】
【図１】本考案のバッテリ補充器の全体構造を示す断面図とその使用状態を示す断面図（ａ）及びキャップを設けた状態を示す模式的外観図（ｂ）。
【図２】本考案のバッテリ液補充器によるバッテリ液の注入方法を説明するための模式的断面図（ａ），（ｂ）。
【図３】一般的に使用されているバッテリの上面図（ａ）とそのＡ−Ａ線断面図（ｂ）と（ｂ）の側面図（ｃ）。
【考案を実施するための形態】
【００１１】
以下、本考案のバッテリ液補充器の実施の形態を図面を参照して説明する。
【００１２】
まず、図３により本考案のバッテリ液補充器が使用されるバッテリ２００の概要構造を説明する。
【００１３】
バッテリ２００は、図３に示すように透明の樹脂体からなるバッテリ本体１０と、この内部に保存されているバッテリ液１４（希硫酸）と、電極１３等とからなる。図３（ｂ）に示すようにバッテリ本体１０は複数個の室からなり、隔壁１０ａにより仕切りされている。図３（ａ），（ｂ）に示すように各室の上部にはバッテリ液注入口１１があり、蓋１２により閉止されている。バッテリ液１４のある部分には電極１３があり、この電極は上面のプラス及びマイナスの電極１３に連結されている。また、バッテリ本体１０には図３（ｃ）に示すようにバッテリ液１４の上面位置と下面位置に示す上レベルＡ及び下レベルＢのマーク（線）が刻設又は表示されている。
なお、バッテリ液１４の補充は、蓋１２を取り外し、バッテリ液注入口１１に本考案バッテリ補充器１００をセットして行う。
【実施例】
【００１４】
次に、図１（ａ），（ｂ）により、本考案のバッテリ液補充器１００の全体構造を説明する。
バッテリ液補充器１００は大別して、中空体の外筒１と、この内部に配置される中空体の内筒２と、内筒２の内部に配置され先端にフロート５を有する中空体のフロート軸４等とからなる。なお、外筒１の内部の中心にはフロート軸４を案内するガイド軸３は垂下状態で保持されている。
【００１５】
外筒１は中空の筒体からなり、上下を開口する中空体の外筒体１ｂと、この下端を閉止する下蓋体１ａと、上端を閉止する上蓋体１ｃからなり、外筒体１ｂの外周のほぼ中央部にはバッテリ液１４をバッテリ２００内に補充注入するためのバッテリ液注入口６が開口される。また、下蓋体１ａには外筒体１ｂの内部と連通するバッテリ液通過口１ａ′が開口形成されている。従って、バッテリ液注入口６から外筒１内に注入されたバッテリ液１４はバッテリ液通過口１ａ′を介してバッテリ２００内に注入されることになる。
【００１６】
内筒２は外筒１内の中央に配置される筒体であるがその下端は下蓋体１ａに固定され上面は上蓋体１ｃに固定される。よって、内筒２の内部は外筒１の内部と遮断され、内筒２内には補充中のバッテリ液１４は侵入しない。
【００１７】
また、ガイド軸３は外筒１の上蓋体１ｃに上端を固定した状態で内筒２の中心部に垂下支持される細棒からなる。
【００１８】
フロート軸４は上下を開口する中空筒体からなり、ガイド軸３に挿着され、ガイド軸３に案内されて上下動形状のものからなる。なお、このフロート軸４は下蓋体１ａを貫通して配置される。その下端にはバッテリ液１４の表面に浮上するフロート５を有するものからなり、上端にはマーク８が固定される。なお、このマーク８は、例えば、赤色に着色した目立つ形態のものからなる。また、このマーク８の外径はフロート軸４の外径より大きくフロート軸４が下蓋体１ａから抜け落ちることを防止している。
一方、内筒２にはマーク４と対応する表示マーク７が設けられ、マーク８がこの表示マーク７と一致した位置がバッテリ２００内のバッテリ液１４の上レベルＡ位置を示すものである。
【００１９】
また、図１（ａ）に示すように外筒１の下端にはキャップ９が着脱可能に装着されこのキャップ９によりフロート５やフロート軸４を覆い、不使用時におけるバッテリ液補充器１００からのバッテリ液１４の外部への漏洩やタレを防止している。
【００２０】
また、図１（ａ）に示すように、補充液を収納しているバッテリ液収納ボトル１５は外筒１のバッテリ液注入口６に係着（係合）して補充液を注入する形状からなる。よって、バッテリ２００が狭隘の場所にあっても補充液の注入は円滑に、かつ容易に確実に行われる。
【００２１】
次に、図２により本考案のバッテリ液補充器１００によるバッテリ液１４の補充方法を説明する。
図２（ａ）に示すように、バッテリ２００内におけるバッテリ液１４のレベルが下がっている時にはフロート軸４はそれに伴って下降し、マーク８は表示マーク７から離れた下向位置に配置される。なお、バッテリ液１４の下がっている図３（ａ）の状態でもこのレベルはバッテリ液１４の下レベルＢより上方にあることが必要であり、バッテリ液１４の不足状態の観察としては少なくとも使用状態におけるバッテリ液１４の表面が下レベルＢを越えないか否かのメンテナンスチェックが必要である。
【００２２】
図３（ｂ）はバッテリ液補充器１００によってバッテリ液１４を補充した場合の上レベルＡ位置を示すものであり、バッテリ液１４の補充はこの位置で停止する。即ち、この位置は表示マーク７とマーク８とが合致した位置であり、外面側から容易に観察することができる。
【００２３】
以上のように、本考案のバッテリ液補充器１００は補充液の補充が狭隘の場所でも確実に行われ、そのレベル位置を明確に確認することができる。また、全体構造として中空体からなり、軽量に形成される利点を有するものからなる。また、不使用時の液漏れも防止される。
【００２４】
本考案のバッテリ液補充器１００は以上の説明の内容からなるが、本考案は以上の内容のものに限定されるものでなく、同一技術的範疇のものが適用されることは勿論である。
【産業上の利用可能性】
【００２５】
本考案のバッテリ液補充器は主として自動車のバッテリ液の補充に使用するものであるが、その対象は自動車に限定するものではなく、バッテリ液を使用するすべてのものに適用可能であり、その利用範囲は広い。
【符号の説明】
【００２６】
１      外筒
１ａ    下蓋体
１ａ′  バッテリ液通過口
１ｂ    外筒体
１ｃ    上蓋体
２      内筒
３      ガイド軸
４      フロート軸
５      フロート
６      バッテリ液注入口
７      表示マーク
８      マーク
９      キャップ
１０    バッテリ本体
１１    バッテリ液注入口
１２    蓋
１３    電極
１４    バッテリ液
１５    バッテリ液収納ボトル
１００  バッテリ液補充器
２００  バッテリ
【図１】
0003168314.tif 000003
【図２】
0003168314.tif 000004
【図３】
0003168314.tif 000005